(57)【要約】【課題】  ハツリ作業をより安全に、かつ効率的に実施することのできる構造物における付着物の除去方法とその除去装置を提供する。【解決手段】  ステージＳに着脱自在に装着可能なフェンス部材Ｆと、このフェンス部材Ｆに付設される削岩機保持装置Ｄとを使用し、削岩機保持装置Ｄを構成する支柱１０の下部を、フェンス部材Ｆの下部に任意位置に固定する。この支柱１０の上部に、削岩機保持装置Ｄを構成する保持台２０を装着し、固定位置において、支柱１０の高さを調整し、保持台２０上の削岩機Ｋを前後にスライド移動させ先端部を構造物内の付着物に近接させ、ついで、削岩機を作動させ、保持台２０上において、削岩機Ｋを、前後方向、上下方向、水平方向に旋回させながら、付着物のハツリ作業を実施し、剥離した付着物を、構造物内の下方に配置したスロープを利用して構造物外に排出させる。【選択図】      図２
2010174517.tif 000002
【特許請求の範囲】
【請求項１】
構造物内に設置される架設足場又は構造物内を上下動するステージに着脱自在に装着可能なフェンス部材と、このフェンス部材に付設される削岩機保持装置とを使用し、
前記削岩機保持装置を構成する上下方向に伸縮可能な支柱の下部を、前記フェンス部材の下部に横方向にスライド自在に保持させるとともに、
前記支柱の上部に、前記削岩機保持装置を構成する保持台を、支柱に対して水平方向に旋回可能で、かつ支柱を支点に上下動自在に装着させ、
前記フェンス部材に沿って、前記支柱の固定位置を設定したのち、
当該固定位置において、前記支柱の高さを調整し、前記保持台を前後方向にスライド移動させて、保持台に固定した削岩機の先端部を、構造物内の付着物に近接させたのち、前記保持台に付設したスイッチを操作して削岩機を作動させ、
しかるのち、前記保持台上の削岩機を前後動させ、あるいは支柱を中心に削岩機の先端部を上下方向に、もしくは水平方向に一定範囲内で旋回させながら、構造物内壁の付着物のハツリ作業を実施すること
を特徴とする構造物における付着物の除去方法。
【請求項２】
構造物内に設置される架設足場又は構造物内を上下動するステージに着脱自在に装着可能なフェンス部材と、このフェンス部材に付設する削岩機保持装置とからなるものであって、
前記削岩機保持装置は、
前記フェンス部材下部に水平に配されたガイド部材と係合して、横方向にスライドする横移動ガイドを下部に有する外筒と、この外筒内において上下方向に昇降する内筒とからなる支柱と、
前記支柱内筒の頂部に装着され、一定範囲内で水平回転する旋回台と、
前記内筒の旋回台上にブラケットを介して軸支され、このブラケットの軸を支点として上下動するとともに、左右一対のガイドレールと、このガイドレールに嵌挿され、長手方向に沿って前後動するスライダーとを上部に有する矩形状の保持台と、
前記保持台のスライダーに着脱自在に装着される削岩機と、
前記保持台に装着される、削岩機作動用の油圧シリンダ、前記スライダーを操作する操作ハンドルおよび前記削岩機の作動用のスイッチと
から構成されることを特徴とする構造物における付着物の除去装置。
【請求項３】
前記フェンス部材は、
前記ステージの構造物内壁側の縁部に配置される矩形状のガードフェンスと、このガードフェンスの左右側面に配置されるサブフェンスとから構成されるもので、前記ガードフェンスは、その下方には、前記ステージと平行して、前記横移動ガイドと係合するガイド部材を有すること
を特徴とする請求項２に記載の構造物における付着物の除去装置。
【請求項４】
前記フェンス部材は、
構造物内に設けられた仮設足場の、垂直方向に配された支柱間に装着固定される矩形状のガードフェンスからなるもので、前記ガードフェンスは、その下方には、仮設足場に設けられた作業台に平行して、前記支柱の横移動ガイドと係合するガイド部材を有すること
を特徴とする請求項２に記載の構造物における付着物の除去装置。
【請求項５】
前記支柱は、
外筒の一部側面には、上部開口部から下方に向かってスリットが形成され、内筒の外側面の、前記スリットの基端と対応する部位には、スリットから突出する係合片が突設されるとともに、この係合片に油圧シリンダのロッド先端を係合させる係合板が設けられたもので、前記外筒に沿って配置された油圧シリンダの作動によって、前記ロッドが上下動して内筒が伸縮するよう構成されていること
を特徴とする請求項２に記載の構造物における付着物の除去装置。
【請求項６】
前記保持台は、
矩形状のベース部材の裏面には、前記内筒のキャップ頂部に配された一対のブラケットに軸支されるブラケットが垂設され、その上面には、長手方向に沿って一対のガードレールが間隔を存して配置されるとともに、このガイドレールにスライダーが装着されたものであること
を特徴とする請求項２に記載の構造物における付着物の除去装置。
【請求項７】
前記スライダーは、
前記ベース部材に配置された一対のガードレール間に、スライド自在に保持されるものであって、その上面に削岩機の本体部を着脱自在に保持する機能を有するとともに、前記削岩機を駆動する油圧シリンダの固定するための固定板を有するものであること
を特徴とする請求項６に記載の構造物における付着物の除去装置。
【発明の詳細な説明】
【技術分野】
【０００１】
この発明は、内壁に設けられたライニング材や、内壁に付着した炭化物などの除去を効率的に、かつ安全に実施することのできる、構造物における付着物の除去方法とそれに用いる除去装置に関するものである。
【背景技術】
【０００２】
構造物の中でも、高炉など比較的高さのある構造物において、その内壁に設けたレンガなどのライニング材を補修や取替えのために剥離する場合、あるいはＣ重油基材やアスファルトの原料である減圧残渣油を、高温で熱分解してガソリンなどを生産するに際し、内壁に付着する炭化物を定期的に除去する場合には、構造物内に仮設足場を構築し、削岩機を持った作業者が仮設足場に設けられた細長い作業台を利用して、削岩機によって前記付着物を剥離する作業が行われていた。
なお、この明細書においては、前記ライニング材や炭化物など、構造物内壁から剥離や除去する対象物は、すべて付着物と表現する。
【０００３】
しかしながら、この仮設足場を利用する手段には、横方向への作業員の移動は比較的容易であるが、上下方向への移動には難がある。
また、使用する削岩機は、総重量が２０ｋｇ前後ときわめて重く、かつ激しい振動を伴うため、狭い作業台上での付着物のハツリ作業は、作業者の安全性の観点からは多くの問題があって、作業能率の悪いものであった。
【０００４】
そこで、近時は、前記仮設足場に代えて、例えば、特開平０９−２５０２４９号公報（特許文献１）に示されるような、ゴンドラ式の足場を使用して、削岩機あるいはジェット噴出ノズルによる付着物の除去作業が行われるようになっている。
【０００５】
このゴンドラ式の足場ついては、基本的には、作業台となるゴンドラ（ステージとも称される。）を、ワイヤなどを使用して構造物内に宙吊りし、前記ワイヤを操作して、必要に応じて前記ゴンドラの面積を可変させながら下降させ、ゴンドラに乗った作業員が各種の作業を行うもので、多くの構造が提案されている。
【０００６】
一方、構造物内壁に付着した付着物の除去のための、ハツリ工事に使用する削岩機は、相当な重量を有しているので、体力を要するとともに、ハツリ作業に際しては、作業員がバランスを失わないように注意する必要がある。
また、ハツリ作業に際しては、削岩機の刃部を付着部に対し、相当の押圧力で押圧することが求められるので、作業員が削岩機に体重を掛ける必要もある。
したがって、削岩機によるハツリ作業を容易にするため、種々の提案がなされている。
【０００７】
例えば、実開平０７−２０２７７号公報（特許文献２）においては、鑿岩機を流体ジャッキと連結し、床面と天井面の間、対向する２つの側面の間、固定の支持点と対応する１つの側面との間に鑿岩機および流体ジャッキの組を配置し、流体ジャッキに流体圧力を供給することによって、流体ジャッキの台部を基点として、鑿岩機の刃先を所要箇所に押圧できるようにした鑿岩機が提案されている。
【０００８】
この鑿岩機によれば、鑿岩機本体に、支持装置として空気シリンダ等の流体ジャッキを取付け、流体ジャッキに圧力流体を供給することにより、流体ジャッキを固定された基点として、鑿岩機の刃先を鑿掘すべき箇所に押圧して鑿掘する。
その際、垂直な壁面や天井等の鑿掘に際して、重量のある鑿岩機を任意の向きにて容易に保持することができるとともに、流体ジャッキによって、鑿岩機の刃先に対する押圧力が得られるので、鑿掘作業をより一層軽減することができる。
また、刃先の取換頻度も１／１０程に少なくなって経済的で、対象物に向けての、鑿岩機の刃先の、方向の調節も簡単にでき、かつ作業の能率向上を図ることができるとされている。
【０００９】
また、実用新案登録第３０９６５４０号公報（特許文献３）においては、作業者が直接に削岩機を持たずとも、削孔作業が正確且つ効率的に行えるようにした振動障害防止効果のある、削岩機ガイド装置を提供することを目的としたものである。
【００１０】
そのため、特許文献３の削岩機用ガイド装置は、直線状の棹部と、この棹部に摺動自在に取付けられたスライド台部と、削岩機をスライド台部上に固定するための固定具と、削岩機の先端の向きを棹部と平行な向きに支持するセンターガイド部と、前記スライド台を前進させる手巻きウィンチ機構と、前記棹部の先端の位置を定めるための掛止具と、前記棹部の後端側を吊り上げて支持するためワイヤロープとを備える削岩機ガイド本体と、削岩機ガイド本体の先端部の位置を支持するアタッチメントとから構成されている。
【００１１】
かかる構成からなる削岩機用ガイド装置は、作業者が直接に削岩機に触れず、振動が作業者に殆ど伝達しないため、長時間の作業が行えるとともに、振動障害が防止され、疲れが少ないなどの作用効果を生じるとされている。
【００１２】
さらに、特許第３８６９２０５号公報（特許文献４）においては、作業員の安全の確保と、労力の軽減などを目的とする、削孔方法と、削孔補助装置および削孔装置が提案されている。
【００１３】
この特許文献４に記載の削孔装置は、案内支柱を持つ削孔用ガイド、および削孔用ガイドにその案内支柱に沿って移動自在に設けられた、削岩機を保持する部分を持つ削岩機取付台を備えた削孔補助装置と、前記削岩機取付台に取付けられる削岩機とを備えたものである。
具体的には、削孔補助装置の削孔用ガイドを削孔すべき場所の近傍に立てて配置し、削孔用ガイドにその案内支柱に沿って昇降自在に設けられた取付台に削岩機を取付け、この削岩機を削孔用ガイドの案内支柱に沿って下降可能な状態として、削岩機を作動させ、削岩機で発生する打撃力を、掘削ロッドに伝達させて削孔すると云うものである。
【特許文献１】特開平０９−２５０２４９号公報（図１）
【特許文献２】実開平０７−  ２０２７７号公報（請求項１，図１〜図６）
【特許文献３】実用新案登録第３０９６５４０号公報（請求項１，段落００２０，図１〜図３）
【特許文献４】特許第３８６９２０５号公報（請求項１，図１，図１１〜図１２）
【発明の開示】
【発明が解決しようとする課題】
【００１４】
特許文献２に記載の削岩機は、エアシリンダなどの流体ジャッキに削岩機本体を取付けて、前記流体ジャッキを固定される基点としている。
したがって、重量のある流体ジャッキの固定部位を、その都度を選択する必要があるとともに、固定場所と削岩機の刃先が当接する壁面との間に距離がある大型の構造物においては、重量のある削岩機を保持ないし固定する付属品を別途必要とし、かつ振動を伴う削岩機においては、固定状態を安定して保持させるには問題がある。
【００１５】
また、特許文献３に記載の削岩機用ガイド装置は、急峻な崖の斜面や垂直面の壁面に対して孔を形成するためのもので、削孔作業に際しては、削岩機をスライド自在に保持する棹部の先端を保持するアタッチメントを、孔を形成する急峻な崖の斜面や垂直面の壁面の近傍に事前に固定することが求められる。
また、前記棹部の後端部は、ワイヤロープなどで吊下げる方式のため、激しい振動を発生する削岩機では、棹部が前後左右に揺れ、安定した状態で削孔作業を実施することが難しく、剥離させる付着物のように削岩機を大きく移動させる必要のある、ハツリ作業には使用することができない。
【００１６】
さらに、特許文献４に記載の削孔装置も、前記特許文献３に記載の削岩機用ガイド装置と同様の構成を有するもので、削孔用ガイドの後端部及び／又はその先端部を、ロープを使用して固定させる必要があって、激しい振動の伴うハツリ作業には使用することができないものである。
【００１７】
この発明はかかる削岩機の使用実態に鑑み、削岩機を使用する作業員への負担を軽減しながら、ハツリ作業をより安全に、かつ効率的に実施することのできる、構造物における付着物の除去方法と、この除去方法に用いる除去装置を提供せんとするものである。
【課題を解決するための手段】
【００１８】
前記目的を達成するため、この発明の請求項１に記載の発明は、
構造物内に設置される架設足場又は構造物内を上下動するステージに着脱自在に装着可能なフェンス部材と、このフェンス部材に付設される削岩機保持装置とを使用し、
前記削岩機保持装置を構成する上下方向に伸縮可能な支柱の下部を、前記フェンス部材の下部に横方向にスライド自在に保持させるとともに、
前記支柱の上部に、前記削岩機保持装置を構成する保持台を、支柱に対して水平方向に旋回可能で、かつ支柱を支点に上下動自在に装着させ、
前記フェンス部材に沿って、前記支柱の固定位置を設定したのち、
当該固定位置において、前記支柱の高さを調整し、前記保持台を前後方向にスライド移動させて、保持台に固定した削岩機の先端部を、構造物内の付着物に近接させたのち、前記保持台に付設したスイッチを操作して削岩機を作動させ、
しかるのち、前記保持台上の削岩機を前後動させ、あるいは支柱を中心に削岩機の先端部を上下方向に、もしくは水平方向に一定範囲内で旋回させながら、構造物内壁の付着物のハツリ作業を実施すること
を特徴とする構造物における付着物の除去方法である。
【００１９】
また、この発明の請求項２に記載の発明は、
構造物内に設置される架設足場又は構造物内を上下動するステージに着脱自在に装着可能なフェンス部材と、このフェンス部材に付設する削岩機保持装置とからなるものであって、
前記削岩機保持装置は、
前記フェンス部材下部に水平に配されたガイド部材と係合して、横方向にスライドする横移動ガイドを下部に有する外筒と、この外筒内において上下方向に昇降する内筒とからなる支柱と、
前記支柱内筒の頂部に装着され、一定範囲内で水平回転する旋回台と、
前記内筒の旋回台上にブラケットを介して軸支され、このブラケットの軸を支点として上下動するとともに、左右一対のガイドレールと、このガイドレールに嵌挿され、長手方向に沿って前後動するスライダーとを上部に有する矩形状の保持台と、
前記保持台のスライダーに着脱自在に装着される削岩機と、
前記保持台に装着される、削岩機作動用の油圧シリンダ、前記スライダーを操作する操作ハンドルおよび前記削岩機の作動用のスイッチと
から構成されることを特徴とする構造物における付着物の除去装置である。
【００２０】
また、この発明の請求項３に記載の発明は、
請求項２に記載の構造物における付着物の除去装置において、
前記フェンス部材は、
前記ステージの構造物内壁側の縁部に配置される矩形状のガードフェンスと、このガードフェンスの左右側面に配置されるサブフェンスとから構成されるもので、前記ガードフェンスは、その下方には、前記ステージと平行して、前記横移動ガイドと係合するガイド部材を有すること
を特徴とするものである。
【００２１】
また、この発明の請求項４に記載の発明は、
請求項２に記載の構造物における付着物の除去装置において、
前記フェンス部材は、
構造物内に設けられた仮設足場の、垂直方向に配された支柱間に装着固定される矩形状のガードフェンスからなるもので、前記ガードフェンスは、その下方には、仮設足場に設けられた作業台に平行して、前記支柱の横移動ガイドと係合するガイド部材を有すること
を特徴とするものである。
【００２２】
また、この発明の請求項５に記載の発明は、
請求項２に記載の構造物における付着物の除去装置において、
前記支柱は、
外筒の一部側面には、上部開口部から下方に向かってスリットが形成され、内筒の外側面の、前記スリットの基端と対応する部位には、スリットから突出する係合片が突設されるとともに、この係合片に油圧シリンダのロッド先端を係合させる係合板が設けられたもので、前記外筒に沿って配置された油圧シリンダの作動によって、前記ロッドが上下動して内筒が伸縮するよう構成されていること
を特徴とするものである。
【００２３】
また、この発明の請求項６に記載の発明は、
請求項２に記載の構造物における付着物の除去装置において、
前記保持台は、
矩形状のベース部材の裏面には、前記内筒のキャップ頂部に配された一対のブラケットに軸支されるブラケットが垂設され、その上面には、長手方向に沿って一対のガードレールが間隔を存して配置されるとともに、このガイドレールにスライダーが装着されたものであること
を特徴とするものである。
【００２４】
また、この発明の請求項７に記載の発明は、
請求項６に記載の構造物における付着物の除去装置において、
前記スライダーは、
前記ベース部材に配置された一対のガードレール間に、スライド自在に保持されるものであって、その上面に削岩機の本体部を着脱自在に保持する機能を有するとともに、前記削岩機を駆動する油圧シリンダの固定するための固定板を有するものであること
を特徴とするものである。
【発明の効果】
【００２５】
この発明にかかる構造物における付着物の除去方法は、構造物内壁の付着物の除去に際して、仮設足場あるいは昇降するステージにフェンス部材を敷設し、このフェンス部材に横移動可能に支柱を配置するとともに、前記支柱の上部に付着物を除去するための削岩機を保持する削岩機保持装置を、前後方向および上下方向可能に配置し、前記削岩機を作業員が直接駆動させながら、構造物内壁の付着物を一定範囲内で除去できるので、作業員のハツリ作業が安全で、かつきわめて容易となる。
【００２６】
特に、重量のある削岩機は常時支柱に保持されているので、作業員の負担が大幅に改善されるとともに、支柱を上下および横方向に所定の範囲内で容易に移動させることができるので、１ケ所で広い範囲の付着物除去が可能となる。
また、削岩機は、支柱上においても、一定範囲内において、上下方向および左右方向、前後方向に移動可能であるため、付着物に対する削岩作業がきわめて容易となるので、作業効率を大幅に向上させることができる。
【００２７】
また、この発明にかかる構造物における付着物の除去装置は、構造物内に設置される架設足場又は構造物内を上下動するステージに着脱自在に装着可能なフェンス部材と、このフェンス部材に付設する削岩機保持装置とで構成し、前記削岩機保持装置を構成する支柱には、上下への伸縮機能と、左右方向への横移動機能を具備させているので、１ケ所の作業場において広い範囲の付着物を除去することが可能となる。
【００２８】
また、前記支柱に保持させる削岩機は、適切に削岩機の刃部を付着物に当てることができるよう、支柱の上端部に保持される保持台に対して、前後方向に移動可能とするとともに、支柱を移動させることなく上下方向と水平方向に可動可能に設けているので、前記フェンス部材に沿った支柱の大きな可動範囲に加え、より小さな範囲での削岩機の移動が行えるので、除去効率を向上させることができる。
【００２９】
さらに、前記フェンス部材も岩機保持装置も、構成が容易で安全性が高く、取扱が容易であるので、作業員も熟練度を必ずしも要しないなど実用的な効果を奏するものである。
【発明を実施するための最良の形態】
【００３０】
以下、この発明にかかる構造物における付着物の除去装置（以下、単に「除去装置」ともいう。）の実施例を、添付の図面に基づいて具体的に説明し、かつ実施例に示した除去装置を使用した構造物における付着物の除去方法を述べる。
【００３１】
なお、この発明は実施例にのみ限定されるものではなく、この発明の要旨を変更しない範囲内で種々変更することが可能なものである。
【００３２】
この発明にかかる除去装置は、構造物内に構築される仮設足場ＴＳ、又は構造物内に昇降自在に、かつ構造物の軸線に対して水平に配されるステージＳに着脱自在に配置されるフェンス部材Ｆと、このフェンス部材Ｆに移動自在に装着される削岩機保持装置Ｄとから構成されるものである。
【００３３】
図１は、この発明にかかる除去装置を構成するフェンス部材Ｆの一例を示す概略説明図であって、構造物内に設けられる仮設足場を構成する縦パイプＰ，Ｐに設けられるフェンス部材Ｆは、左右一対の枠材１，１と、この枠材１，１間を連結する上下の連結材２，３からなる矩形状のガードフェンスで構成される。
【００３４】
このガードフェンスの左右の枠材１，１は、それぞれ側面部に前記縦パイプＰ，Ｐを係合させるための取付け部材１ａを有し、前記連結材２は、後述する支柱１０を垂直状態に保持する保持片１０ｃと係合するための係合縁２ａを有するものである。
【００３５】
また、前記フェンス部材Ｆは、その下部に所要の径のパイプからなるガイド部材４を、裏面側に有するもので、前記フェンス部材Ｆには、着脱自在にかつ水平状態で配置されるものである。
このガイド部材４のフェンス部材Ｆへの装着は、ガイド部材４が左右の左右一対の枠材１，１と直交する状態、すなわち、作業員が載る仮設足場に対して水平状態で着脱自在なものであれば、具体的な構成については特段の制限はないものである。
【００３６】
図２に示されるフェンス部材Ｆは、構造物内に昇降自在に配置されるステージＳの先端部に着脱自在に配置されるもので、構造物の内壁と相対する矩形状の正面に位置するガードフェンス５と、このガードフェンス５の左右に配される矩形状のサブフェンス６とから構成されている。
【００３７】
このフェンス部材Ｆは、安全上の観点からは、背面にもサブフェンス７を設けて全体をボックス状とすることが好ましい。
また、このフェンス部材Ｆの下方には、図１のフェンス部材Ｆと同様に、所要の径のパイプからなるガイド部材４が、構造物の内壁側に、ステージＳに対して水平となるようにして着脱自在に設けられたものである。
【００３８】
図３は、この発明にかかる除去装置を構成する削岩機保持装置Ｄの一例を示す全体斜視図であって、垂直方向に伸縮する支柱１０と、この支柱１０の上端部に保持される保持台２０とから構成されている。
【００３９】
前記支柱１０は、所要の径と長さとを有するパイプからなる外筒１０ａと、この外筒１０ａ内に保持されるパイプからなる内筒１０ｂとからなるもので、前記外筒１０ａの下端部には、外筒１０ａと直交する状態で、所要の径と長さを有するパイプからなる横移動ガイド１１が一体的に付設されている。
【００４０】
前記外筒１０ａは、図４（ｂ）で明らかなように、上縁開口部から下方に向かって所要幅でキー溝１４（幅約２０ｍｍ×長さ約３５０ｍｍ）が形成されている。
なお、この外筒１０ａの外周部には、図３に示すように、支柱１０を上下方向に伸縮させるための油圧シリンダ１２、前記横移動ガイド１１を水平方向に駆動させるための電磁弁１３、前記油圧シリンダ１２を作動させるための電磁弁１９などが付設されている。
【００４１】
前記内筒１０ｂは、前記外筒１０ａの内径とほぼ等しい外径を有し、かつ外筒１０ａの長さのほぼ１／２弱程度の長さを有するもので、その下端部には、図５で特に明らかなように、前記外筒１０ａに形成されたキー溝１４と係合する板状のキー１５が、縦方向に一体的に付設されている。
【００４２】
このキー１５の上部には、前記油圧シリンダ１２のピストン１２ａと連結する連結板１６が、前記内筒１０ｂを前記外筒１０ａ内に装着したとき、連結板状体１６の内縁部が外筒１１ａの外周面と周接するよう設けられている。
この内筒１０ｂの外筒１０ａに対するストローク幅は、実施例においては約３００ｍｍに設定されている。
【００４３】
さらに、内筒１０ｂの上部開口部には、図６で明らかなように、旋回台１７（約１２０ｍｍφ）が設けられるとともに、この旋回台１７上に一対のブラケット１８が配置されている。
このブラケット１８は、図６に示されるように、後述する保持台２０の下面に設けられたブラケット２１と図示しない軸によって連結され、前記軸を支点として保持台２０が上下動するように構成されている。
【００４４】
なお、内筒１０ｂに設けられる旋回台１７は、前記内筒１０ｂの上部開口部に固定される固定板１０ｄに対してのみ旋回可能に装着されるもので、後述するコークガンＫが不用意に大きく水平回転しないよう、一定の範囲内でのみ水平回転できるよう構成されているものである。
【００４５】
前記保持台２０は、図7で明らかなように、長手方向に沿う側縁部を下方に折り曲げて形成した矩形状のベース部材２１（幅約１５０ｍｍ×長さ約９００ｍｍ程度）の上面部に、前記側縁部に沿って左右一対のガイドレール２２，２２（長さ約９００ｍｍ）が配されるとともに、基端側には、削岩機Ｋ（コークガンＫとも称す。）を作動させるためのスイッチ２３と、保持台２０を制御するための操作ハンドル２４が配置されている。
なお、前記ガイドレール２２，２２は、いずれもその両端部は保持板２５によって保持されるもので、このガイドレール２２，２２には、それぞれ後述のスライダー２６，２６（長さ約５６０ｍｍ）が外嵌される。
また、前記操作ハンドル２４も、図７で明らかなように、前記ガイドレール２２，２２に係合保持されるものである。
【００４６】
前記ガイドレール２２，２２に外嵌されるパイプからなる一対のスライダー２６は、図8で明らかなように、基端部にコークガンＫを作動させるための油圧シリンダ２７の一端部を固定するための固定板２８と、先端部にコークガンＫの先端部を保持するためのＵ字状の固定具２９を、それぞれ配した連結板３０によって一体化され、保持台２０を構成するものである。
【００４７】
かかる構成のコークガンＫの固定台は、前記各スライダー２６，２６を、前記ガイドレール２２，２２にそれぞれ外嵌させることによって、前後方向（板状体２１の長さ方向）に約３５ｍｍ前後スライド移動することが可能となる。
【００４８】
しかるのち、図３に示されるように、前記操作ハンドル２４と固定板３０との間に油圧シリンダ２７を介装固定させるとともに、前記固定板３０とＵ字状の固定具２９の間にコークガンＫを装着固定し、図示のように削岩機保持装置Ｄを構成する。
【００４９】
かかる構成を有する削岩機保持装置Ｄは、前記保持台２０を分離した状態で、フェンス部材Ｆの下方に水平に配置されたガイド部材４に、前記支柱１０の下端部に配置された横移動ガイド１１を外嵌させ、前記外筒１０ａの上部に形成した保持片１０ｃを、フェンス部材Ｆの上部の連結材２に形成された係合片２ａと係合させて、支柱１０を垂直に保持する。
【００５０】
ついで、内筒１０ｂの頂部に保持台２０を、旋回台１７に設けたブラケット１８と、ベース部材２１に設けたブラケット２１によって上下動自在に装着したのち、保持台２０上にコークガンＫと油圧シリンダ２７を可動可能にセットして、フェンス部材Ｆに削岩機保持装置Ｄを装着させる。
【００５１】
使用に際しては、図２で示すように、作業員が保持台２０の操作ハンドル２４とスイッチ２３をそれぞれ把持し、コークガンＫの先端部が構造物の内壁に達するよう、操作ハンドル２４を、ガイドレール２２，２２に沿って前後方向に移動させながら操作し、コークガンＫの先端部が構造物の内壁に達した状態で、スイッチ２３をＯＮにして、付着物のハツリ作業を始めるものである。
【００５２】
このハツリ作業に際しては、その進捗状況に応じて、電磁弁１９を操作して油圧シリンダ１２を作動させ、支柱１０の高さを随時変更し、あるいは旋回台１７を利用して保持台２０を水平方向に回転させ、さらには、ブラケット１８，２１を連結する軸を支点として保持台２０を上下動させてハツリ作業の範囲を変えて行う。
【００５３】
さらに、前記操作で一定範囲内のハツリ作業が終了すると、電磁弁１３を操作して横移動ガイド１１をフェンス部材Ｆのガイド部材４に沿って移動させ、新たな内壁に対し、前記操作を繰り返しながらハツリ作業を行うものである。
【００５４】
なお、ハツリ作業によって剥離除去した付着物は自然落下し、構造物内の下方に配置したスロープを利用して構造物外に排出される。
【００５５】
この除去装置を使用したハツリ作業は、フェンス部材Ｆの高さを適切に設計することによって、作業員のハツリ姿勢に無理な負担がかかることがない。
また、コークガンＫの操作に際しては、コークガンＫの高さ位置を支柱１０の高さを調整することによって、付着物とコークガンＫとの距離は、操作ハンドル２４を前後動させることによって、狭い範囲のハツリ部位の変更に際しては、保持台２０の上下動操作と、旋回台１７の旋回範囲の変更によって対応することができるので、作業員は位置を変更することなく広い範囲のハツリ作業を行うことができる。
【００５６】
さらに、一定範囲内のハツリ作業が終了すると、電磁弁１３を作動させるだけで、コークガンＫを保持する支柱１０自体の固定位置を容易に変更することができるので、作業位置の変更を簡単に行うことができる。
【００５７】
さらにまた、ハツリ作業に使用されるコークガンＫは、間接的にフェンス部材Ｆに支持されるので、作業員がハツリ作業に際して構造物の内壁側に転落するおそれが解消され、安全な状態でハツリ作業を行うことができるなど、多大な利点を奏するものである。
【産業上の利用可能性】
【００５８】
この発明の構造物における付着物の除去装置は、構造物内に設置される架設足場又は構造物内を上下動するステージに着脱自在に装着可能なフェンス部材と、このフェンス部材に付設する削岩機保持装置とからなるものであるが、ある程度の高さを有する構造物の外壁の付着物に対するハツリ作業などに利用することが可能なものである。
【図面の簡単な説明】
【００５９】
【図１】この発明にかかる構造物における付着物の除去装置を構成するフェンス部材の一例を示す概略説明図である。
【図２】同フェンス部材の他の例を示す概略説明図である。
【図３】この発明にかかる構造物における付着物の除去装置を構成する削岩機保持装置の一例を示す概略説明図である。
【図４】図３に示す支柱の外筒を示す概略説明図である。
【図５】同内筒を示す概略説明図である。
【図６】支柱と保持台との関係を示す概略説明図である。
【図７】前記保持台を構成するベース部材の概略説明図である。
【図８】同保持台を構成するスライダーの概略説明図である。
【符号の説明】
【００６０】
１            枠材
２，３        連結材
４            ガイド部材
Ｆ            フェンス部材
Ｐ，Ｐ        縦パイプ
ＴＳ          仮設足場
Ｓ            ステージ
１０          支柱
１０ａ        外筒
１０ｂ        内筒
１１          横移動ガイド
１４          キー溝
１６          連結板
１７          旋回台
Ｄ            削岩機保持装置
Ｋ            コークガン
１８，２１    ブラケット
２０          保持台
２２          ガイドレール
２３          コークガン用のスイッチ
２４          操作ハンドル
２６          スライダー
【図１】
2010174517.tif 000003
【図２】
2010174517.tif 000004
【図３】
2010174517.tif 000005
【図４】
2010174517.tif 000006
【図５】
2010174517.tif 000007
【図６】
2010174517.tif 000008
【図７】
2010174517.tif 000009
【図８】
2010174517.tif 000010